(57)【要約】【課題】洗車機用洗浄ブラシが被洗浄面にたいして押込まれた場合においても、被洗浄面に傷、破損等が発生することが無いと共に、洗浄水等の液体あるいは温風等の気体に異物が混入した場合においても目詰りすることが無い洗車機用洗浄ブラシを提供する。【解決手段】自動車洗浄用あるいは車両洗浄用の洗車機用洗浄ブラシにおいて、前記洗車機用洗浄ブラシは、ブラシ片、及び軸体を有すると共に、前記ブラシ片とブラシ片の間に緩衝材が形成されてあるものである。【選択図】      図１
2007314096.tif 000002
【特許請求の範囲】
【請求項１】
自動車洗浄用あるいは車両洗浄用の洗車機用洗浄ブラシにおいて、前記洗車機用洗浄ブラシは、ブラシ片、及び軸体を有すると共に、前記ブラシ片とブラシ片の間に緩衝材が形成されてあることを特徴とする洗車機用洗浄ブラシ。
【請求項２】
請求項１記載の構成よりなる洗車機用洗浄ブラシにおいて、前記軸体には、一端に洗浄水、洗剤等の液体の流入手段が形成されてあると共に、軸体の外周に連通する連通穴が形成されてあることを特徴とする洗車機用洗浄ブラシ。
【請求項３】
請求項１から２記載の構成よりなる洗車機用洗浄ブラシにおいて、前記軸体には、一端に温風、冷風、及びミスト等の気体の流入手段が形成されてあると共に、軸体の外周に連通する連通穴が形成されてあることを特徴とする洗車機用洗浄ブラシ。
【請求項４】
請求項１から３記載の構成よりなる洗車機用洗浄ブラシにおいて、前記緩衝材は、軸体外周部から緩衝材の外周面に連通する穴が形成されてあることを特徴とする洗車機用洗浄ブラシ。
【請求項５】
駆動源と、被洗浄面に散布する洗浄剤及び水を噴出させるノズルと、洗浄後の被洗浄面を乾燥させる乾燥手段を備えると共に、請求項１から４のいずれか１項に記載の洗車機用洗浄ブラシを搭載したことを特徴とする洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗車機用洗浄ブラシ、及びその洗車機用洗浄ブラシを搭載した洗車機に関しては、使用目的に応じて、さまざまな改良がなされ、例えば、回転軸の外周部に複数のブラシ片が形成されてある自動車用洗浄ブラシにおいて前記回転軸の一端に洗浄水流入手段が形成されてあると共に、前記回転軸の外周部に前記洗浄水流入手段と連通するように洗浄水流出手段が形成されてあり、洗浄水を前記洗浄水流入手段より流入させる事により、前記洗浄水を前記洗浄水流入手段より流出させて被洗浄面あるいは前記ブラシ片に噴きつけることを特徴とする自動車用洗浄ブラシが、特開２００４−２３０１２８号公報に開示されてある。
【０００３】
また、付属のブラシ毛を潤滑及び洗浄する為の手段を含む車洗浄ブラシであって、長く延びた管状本体を備え、この管状本体が、複数の様々に分布したブラシ毛を支持し、前記管状本体を回転駆動すべくモータ減速ユニットに結合でき、前記ブラシが、前記管状本体に対応して、流体を搬送する複数のチャネルを備え、前記チャネルが、前記ブラシの内側から外側に向かって前記ブラシ毛に流体を噴霧する為の、関連する複数のノズルを備え、前記チャネルが前記ブラシの前記押出成形された管状本体と一体に製造されることを特徴とする車洗浄ブラシが、特表２００３−５２５７２８号公報に開示されてある。
【０００４】
【特許文献１】特開２００４−２３０１２８号公報
【特許文献１】特表２００３−５２５７２８号公報
【発明の開示】
【発明が解決しようとする課題】
【０００５】
従来の洗車機用洗浄ブラシ、及びその洗車機用洗浄ブラシを搭載した洗車機は、例えば、上記の如くの特徴を有する技術が開示されてあるが、特開２００４−２３０１２８号公報に開示されてある技術においては、洗車機用洗浄ブラシが、被洗浄面に押込まれた場合には、軸体が被洗浄面に接触し被洗浄面に傷、破損等が発生するという課題を有していた。
【０００６】
また、特表２００３−５２５７２８号公報に開示されてある技術においては、車洗浄ブラシが、被洗浄面に押込まれた場合には、上記と同様の課題を有していると共に、軸体に備えているノズルより流体を噴霧する為、流体に異物混入、又は、外部からノズルに異物が入り込みノズルに目詰りが発生し流体が噴霧できなくなるという課題を有していた。
【０００７】
本発明は、上記のような課題を解決する為になされたもので、洗車機用洗浄ブラシが被洗浄面に対して押込まれた場合においても、被洗浄面に傷、破損等が発生することが無い、また、流体が目詰りすること無く、噴霧する事ができる洗車機用洗浄ブラシ、及びその洗車機用洗浄ブラシを搭載した洗車機を提供することを目的としている。
【課題を解決するための手段】
【０００８】
本発明は、上記のような課題を解決する為になされたもので、洗車機用洗浄ブラシが被洗浄面に対して押込まれた場合においても、被洗浄面に傷、破損等が発生することが無いと共に、液体あるいは気体に異物が混入した場合においても目詰りすることが無い洗車機用洗浄ブラシを提供することを目的としている。
【０００９】
また、本発明の洗車機は、駆動源と、被洗浄面に散布する洗浄剤及び水を噴出させるノズルと、洗浄後の被洗浄面を乾燥させる乾燥手段を備えると共に、請求項１から４記載の洗車機用洗浄ブラシを搭載したもので、緩衝材、及び液体、気体の流入手段を有する洗車機用洗浄ブラシが搭載されてある。その為、洗車機用洗浄ブラシが被洗浄面に対して押込まれた場合においても、ブラシ片とブラシ片の間に緩衝材が形成されてある為、被洗浄面に傷、破損等が発生することが無く使用することができる。また、液体あるいは気体に異物が混入した場合においても目詰りすること無く使用できる。その為、洗車機は駆動源により洗車機用洗浄ブラシを高速回転に設定すると共に、洗浄時間を短時間に設定した場合においても、高い安全性、及び高い洗浄性を有することができる。
【発明の効果】
【００１０】
本発明の洗車機用洗浄ブラシは、前記ブラシ片とブラシ片の間に緩衝材が形成されてある為、洗車機用洗浄ブラシが被洗浄面に対して押込まれた場合においても、被洗浄面に傷、破損等が発生することが無いと共に、液体あるいは気体に異物が混入した場合においても目詰りすることが無く高い洗浄性と安全性を兼ね備えた非常に優れたものである。
【発明を実施するための最良の形態】
【００１１】
第１の発明は、自動車洗浄用あるいは車両洗浄用の洗車機用洗浄ブラシにおいて前記洗車機用洗浄ブラシは、前記ブラシ片とブラシ片の間に緩衝材が形成されてある為、洗車機用洗浄ブラシが被洗浄面に対して押込まれた場合においても、被洗浄面に傷、破損等が発生することが無く使用する事ができる。その為、高い洗浄性と安全性を兼ね備えた非常に優れた洗車機用洗浄ブラシを使用することができる。
【００１２】
第２の発明は、前記軸体には、一端に洗浄水、洗剤等の液体の流入手段が形成されてあると共に、軸体の外周に連通する連通穴が形成されてある為、連通穴から洗浄水、洗剤等の流体を軸体の外部に噴出することができる。その為、洗浄水、洗剤等の流体をブラシ片の根元部に付与することができる。その為、付与されて無い場合に比べて、ブラシ片に汚れが付着すること無く、汚れを落とすことができる為、洗い残しが無いと共に、高い洗浄性が発揮できる。
【００１３】
また、連通穴から、緩衝材を通して洗浄水、洗剤を噴出することができる為、ブラシ片及び、緩衝材の表面に流体の膜が形成される。その為、流体の膜が形成されて無い場合に比べて、ブラシ片あるいは緩衝材が被洗浄面に当接した場合においても、流体の膜が潤滑作用となり、被洗浄面に対する傷付きが無く、飛躍的に洗浄性を向上させることができる。
【００１４】
また、連通穴が形成されてある為、目詰りすること無く洗車機用洗浄ブラシを使用できる。その為、より高い洗浄性を発揮することができる。
【００１５】
第３の発明は、前記軸体には、一端に温風、冷風、及びミスト等の気体の流入手段が形成されてあると共に、軸体の外周に連通する連通穴が形成されてある為、連通穴から、温風、冷風、及びミスト等の気体を噴出することができる。その為、温風を噴出させた場合においては、被洗浄面、及びブラシ片に噴きつけることができ、水滴等が付着した被洗浄面、及びブラシ片を乾燥することができる。その為、洗浄後の拭取り作業を必要としない為、洗浄時間の短縮ができると共に、冬季におけるブラシ片の凍結防止につながる。
【００１６】
また、冷風を連通穴から噴出することができる為、洗浄時、及び洗浄前にブラシ片、及び被洗浄面を冷却することができる。その為、洗浄時に被洗浄面、及びブラシ片の熱による変形、損傷すること無く高い耐久性を発揮することができる。
【００１７】
また、ミストを、連通穴から噴出することができる為、洗浄時、及び洗浄前にブラシ片の表面にミストを付着させることができる。その為、汚れがブラシ片に付着することを抑制できると共に、付着した汚れは瞬時にブラシ片から脱落することで、極めて高い洗浄性を発揮できる。
【００１８】
第４の発明は、前記緩衝材に、軸体外周部から緩衝材の外周面に連通する穴が形成されてある為、連通する穴から、大量の洗浄剤及び洗浄水を高い高圧で瞬時にブラシ片、及び被洗浄面に付与できる。その為、迅速に被洗浄面あるいは、ブラシ片に付着した汚れ等を取除くことができると共に、高い洗浄性を発揮することができる。
【００１９】
第５の発明は、駆動源と、被洗浄面に散布する洗浄剤及び洗浄水を噴出させるノズルと洗浄後の被洗浄面を乾燥させる乾燥手段を備えると共に、第１の発明から第４の発明の洗車機用洗浄ブラシが搭載されてある。その為、洗車機は、駆動源により洗車機用洗浄ブラシを高速回転に設定すると共に、洗浄時間を短時間に設定した場合においても、洗浄残りの無い高い洗浄性を発揮することができる。
【００２０】
以下、本発明の実施の形態について図面を参照しながら説明する。なお、この実施の形態により本発明が限定されるものではない。
【００２１】
（実施例１）
図１から図２にて実施例１を示す。図１は、本発明の洗車機用洗浄ブラシの前面側から見た正面図、図２は、洗車機用洗浄ブラシの断面図である。
【００２２】
図１、及び図２の如く、洗車機用洗浄ブラシ１は、ブラシ片３、及び軸体２を有すると共に、ブラシ片３とブラシ片３の間に緩衝材４が形成されてあり、ブラシ片３は、芯線５２、及び帯状体６２より形成されてあり、帯状体６２は、断面が概コの字形状に形成されてあると共に、ブラシ片３が、芯線５２、及び帯状体６２にて、挟み込まれて形成されてあり、軸体２の外周部に対して螺旋状に形成されてある。軸体２は、一端に流入手段５が形成されてあり、軸体２の外周部には、流入手段５と連通するように複数の連通穴６が形成されてある。また、緩衝材４は、軸体２の外周部に対して螺旋状に形成されてあり、ネジ等の固定部材７にて固定されてある。
【００２３】
また、緩衝材４の材料としては使用する目的に応じて、適時、天然樹脂発泡体、合成樹脂発泡体、天然樹脂、合成樹脂、天然ゴム、合成ゴム等を使用しても、何ら支障は無い。また、形状、配置状態、個数等についても、使用目的に応じて、適時、設定しても何ら支障は無い。
【００２４】
また、緩衝材４の軸体２への固定方法は、差込み、はめ込み、接着、溶着等固定可能であるならば採用しても何ら支障は無い。
【００２５】
また、連通穴６の形態としては、軸体２の外周部に対して螺旋状に形成されてある緩衝材４の下部に形成されてある。また、これ以外にも、軸体２の長手方向に対して平行な長穴形状の連通穴を複数個、形成することもできる。その為、チャンネル７２、緩衝材４あるいは、チャンネル７２と緩衝材４の隙間より洗浄水等を噴出できる。
【００２６】
次に、洗車機用洗浄ブラシ１の製造手順について説明する。最初に軸体２は、概円筒状のパイプに複数の連通穴６を形成し、両端を塞いだ後、一端に流入手段５を形成する。次に、ブラシ片３は、芯線５２、及び帯状態６２にて、挟み込まれてチャンネルブラシ７２を形成し軸体２の外周面に螺旋状に形成する。次に、緩衝材４は概四角断面にて形成されてあり、軸体２の外周面にブラシ片３とブラシ片３の間に螺旋状に、形成されてあり、ネジ等の固定部材７にて固定される。以上の手順により洗車機用洗浄ブラシ１が製作される。
【００２７】
実施例１の洗車機用洗浄ブラシ１は上記の構成となっているので、ブラシ片３とブラシ片３の間に緩衝材４が形成されてある為、洗車機用洗浄ブラシ１が被洗浄面に対して押込まれた場合においても、被洗浄面に傷、破損等が発生することが無く使用する事ができる。その為、高い洗浄性と安全性を兼ね備えた非常に優れた洗車機用洗浄ブラシ１を使用することができる。
【００２８】
また、前記軸体には、一端に洗浄水、洗剤等の液体の流入手段５が形成されてあると共に、軸体２の外周に連通する連通穴６が形成されてある為、連通穴６から洗浄水、洗剤等の流体を軸体２の外部に噴出することができる。その為、洗浄水、洗剤等の流体をブラシ片３の根元部に付与することができる為、付与されて無い場合に比べて、ブラシ片３に汚れが付着すること無く、汚れを落とすことができる為、洗い残しが無いと共に、高い洗浄性が発揮できる。
【００２９】
また、連通穴６から、緩衝材４を通して洗浄水、洗剤を噴出することができる為、ブラシ片３及び、緩衝材４の表面に流体の膜が形成される為、流体の膜が形成されて無い場合に比べて、ブラシ片３あるいは緩衝材４が被洗浄面に当接した場合においても、流体の膜が潤滑作用となり、被洗浄面に対する傷付きが無く、飛躍的に洗浄性を向上させることができる。
【００３０】
また、連通穴６が形成されてある為、目詰りすること無く洗車機用洗浄ブラシ１を使用できる。その為、より高い洗浄性を発揮することができる。
【００３１】
また、軸体２には、一端に温風、冷風、及びミスト等の気体の流入手段５が形成されてあると共に、軸体２の外周に連通する連通穴６が形成されてある為、連通穴６から、温風、冷風、及びミスト等の気体を噴出することができる。その為、温風を噴出させた場合には、被洗浄面、及びブラシ片３に噴きつけることができ、水滴等が付着した被洗浄面、及びブラシ片３を乾燥することができる。その為、洗浄後の拭取り作業を必要としない為、洗浄時間の短縮ができると共に、冬季におけるブラシ片３の凍結防止につながる。
【００３２】
また、冷風を連通穴６から噴出することができる為、洗浄時、及び洗浄前にブラシ片３、及び被洗浄面を冷却することができる為、洗浄時等に被洗浄面、及びブラシ片３の熱による変形、及び損傷をすること無く高い耐久性を発揮することができる。
【００３３】
また、ミストを、連通穴６から噴出することができる為、洗浄時、及び洗浄前にブラシ片３の表面にミストを付着させることができる。その為、汚れがブラシ片３に付着することを抑制できると共に、付着した汚れは瞬時にブラシ片３から脱落することで、極めて高い洗浄性を発揮できる。
【００３４】
（実施例２）
図３にて実施例２を示す。図３は、本発明の他の実施の形態の洗車機用洗浄ブラシの断面図である。
【００３５】
図３の如く、洗車機用洗浄ブラシ１１は、緩衝材１４に、軸体１２の外周部から緩衝材１４の外周面に連通する穴８が形成されてあると共に、緩衝材１４は、ブラシ片１３とブラシ片１３の間に形成されてあり、軸体１２は、一端に流入手段１５が形成されてあり、軸体１２の外周部には、流入手段１５と連通するように複数の連通穴１６が形成されてある。
【００３６】
また、連通する穴８は、形状、配置状態、個数等についても、使用目的に応じて、適時、設定しても何ら支障は無い。
【００３７】
また、連通穴１６と穴８は、同一位置にあるが、前記以外にも連通穴１６と穴８をずらして形成される形態を採用しても何ら支障は無い。
【００３８】
図３において、洗車機用洗浄ブラシ１１は、上記の構成となっているので、緩衝材１４は、軸体１２外周部から緩衝材１４の外周面に連通する穴８が形成されてある為、連通する穴８から、大量の洗浄水、及び洗剤等を高い高圧で瞬時にブラシ片１３、及び被洗浄面に付与できる。その為、迅速に被洗浄面あるいは、ブラシ片１３に付着した汚れ等を取除くことができると共に、高い洗浄性を発揮することができる。
【００３９】
（実施例３）
図４から図５にて実施例３を示す。図４は、本発明の他の実施の形態の洗車機用洗浄ブラシを前面側から見た斜視図、図５は、図４の断面図である。
【００４０】
図４から図５の如く、洗車機用洗浄ブラシ２１は、ブラシ片２３が止め金具９に対して、リベット２９にて固定されてあり、軸体２２に軸体２２の長手方向に対して形成された溝部１９に止め金具を挿入して固定されてある。緩衝材２４は、軸体２２の長手方向に対してブラシ片２３とブラシ片２３の間に形成されてあると共に、軸体２２は、一端に流入手段２５が形成されてあり、軸体２２の外周部には、流入手段２５と連通するように複数の連通穴２６が形成されてある。また、洗浄水、洗剤等は、流入手段２５から連通穴２６を通って、緩衝材２４に入り込んだ後、緩衝材２４の内部を通って、外部にしみ出す。なお、使用目的に応じて緩衝材２４に洗浄水、洗剤等を通す穴を形成することもできる。
【００４１】
図４から図５において、洗車機用洗浄ブラシ２１は、上記の構成となっているので、軸体２２に軸体２２の長手方向に対して、ブラシ片２３とブラシ片２３の間に緩衝材２４が形成されてある為、洗車機用洗浄ブラシ２１が、被洗浄面に対して押込まれた場合においても、被洗浄面に傷、破損等が発生すること無く使用することができる。その為、被洗浄面に傷、破損等が発生すること無く使用することができると共に、回転方向に対して、ブラシ片２３で被洗浄面の汚れを掻き出し、緩衝材２４にて汚れを拭き流すことができる。その為、より高い洗浄性を発揮することができる。
【００４２】
（実施例４）
図６にて実施例４を示す。図６は、本発明の洗車機用洗浄ブラシを搭載した洗車機である。
【００４３】
図６の如く、洗車機５０は、本発明の実施例に記載の構成の洗車機用洗浄ブラシ２０が搭載されてあり、洗車機用洗浄ブラシ２０は駆動減５２により回転される。ノズル５３からは、被洗浄面にたいして、洗浄剤、及び水が散布され、洗車機用洗浄ブラシ５０により洗浄され、洗浄後は、乾燥機５４等の乾燥手段により被洗浄面が乾燥される。
【００４４】
実施例４の洗車機５０は、上記の如くの構成となっているので、駆動源５２と、被洗浄面に散布する洗浄剤、及び水を噴出させるノズル５３と、洗浄後の被洗浄面を乾燥させる乾燥機５４等の乾燥手段を備えると共に、上記実施例１、実施例２及び、実施例３のいずれかに記載の洗車機用洗浄ブラシ２０が搭載されてある為、洗車機用洗浄ブラシ２０は、緩衝材がブラシ片とブラシ片の間に形成されてある。その為、洗車機用洗浄ブラシ２０が被洗浄面にたいして押込まれた場合においても、被洗浄面に傷、破損等が発生すること無く使用することができると共に、洗浄水等の液体あるいは温風等の気体に異物が混入した場合においても目詰りすることが無く高い洗浄性と安全性を兼ね備えた非常に優れた洗車機を提供できる。
【産業上の利用可能性】
【００４５】
本発明の洗車機用洗浄ブラシ及び洗車機は、主に、自動車あるいは車両の外面の被洗浄面に付着した汚れ等を洗浄する為の洗車機、及び洗車機に搭載されてある洗車機用洗浄ブラシ、及び洗車機用洗浄ブラシとして使用する。
【図面の簡単な説明】
【００４６】
【図１】本発明の洗車機用洗浄ブラシの正面図
【図２】図１の洗車機用洗浄ブラシの断面図
【図３】本発明の他の実施の形態の洗車機用洗浄ブラシの断面図
【図４】本発明の他の実施の形態の洗車機用洗浄ブラシを前面側から見た斜視図
【図５】図４の洗車機用洗浄ブラシの断面図
【図６】本発明の洗車機用洗浄ブラシを搭載した洗車機の正面図
【符号の説明】
【００４７】
１、１１、２０、２１  洗車機用洗浄ブラシ
２、１２、２２  軸体
３、１３、２３  ブラシ片
４、１４、２４  緩衝材
５、１５、２５  流入手段
６、１６、２６  連通穴
７  固定部材
８  穴
９  止め金具
１９  溝部
２９  リベット
５２  芯線
６２  帯状体
７２  チャンネルブラシ  
５０  洗車機
５２  駆動源
５３  ノズル
５４  乾燥機
【図１】
2007314096.tif 000003
【図２】
2007314096.tif 000004
【図３】
2007314096.tif 000005
【図４】
2007314096.tif 000006
【図５】
2007314096.tif 000007
【図６】
2007314096.tif 000008